(57)【要約】【課題】本発明は磁石体を足裏のツボに当てることができ、歩いても痛みを感じない履物用中敷を提供する。【解決手段】中敷本体２には上下に連通する複数の連通孔が形成されている。肩凝りを治療したいときは、連通孔に磁石体８を収容するようにして磁気治療器７を貼り付けると、磁石体８の全体が連通孔５ａ、５ｂ、５ｃ、５ｄ、５ｅ、５ｆ、５ｇ、５ｈ、５ｉ、５ｊ、５ｋ、５ｌ、５ｍに収容されるため、磁石体８が足裏に食い込むことがなく、歩いても痛くならない。【選択図】        図４
2014036793.tif 000002
【特許請求の範囲】
【請求項１】
履物用中敷において、履物用中敷は中敷本体と、中敷本体に形成される連通孔と、前記連通孔に全体が収容される磁石体と前記履物用中敷の裏面側から貼り付けられ磁石体を固定する固定手段とで構成される磁気治療器とを有していることを特徴とする履物用中敷。
【請求項２】
請求項１に記載された履物用中敷において、連通孔は足裏のツボと対応する位置に形成されていることを特徴とする履物用中敷。
【請求項３】
請求項２に記載された履物用中敷において、連通孔は治療したい症状に応じたツボと対応する位置に備えられていることを特徴とする履物用中敷。
【請求項４】
請求項１から３のいずれかに記載された履物用中敷において、固定手段は粘着層を有する粘着シートであることを特徴とする履物用中敷。
【発明の詳細な説明】
【技術分野】
【０００１】
本発明は靴等の履物用中敷に係り、特に磁気治療器を貼り付け、磁気によって足裏のツボを刺激する機能を備える履物用中敷に関するものである。
【背景技術】
【０００２】
従来、足裏のツボに刺激を与えることによって体調を整えることができ、健康を促進できることが知られている。この足裏のツボには、頭痛に効果のあるツボ、腰痛に効果のあるツボ等、様々なものがある。
ツボを刺激する方法として磁気によるものがあり、特許文献１に記載される磁気治療器が考案されている。この磁気治療器は、粘着層を有する基層と、その略中央に設けられた磁石体とを有しており、磁石体が足裏のツボに当たるようにして貼り付ける。
【先行技術文献】
【特許文献】
【０００３】
【特許文献１】特開２００５−２９６４５５号公報
【発明の概要】
【発明が解決しようとする課題】
【０００４】
しかしながら、足裏に磁気治療器を貼り付けた状態で歩くと、磁石体が足裏に食い込んで、痛みを感じてしまうことになる。
【０００５】
本発明は上記課題を解決するためになされたものであり、磁石体を足裏のツボに当てることができ、歩いても痛みを感じない履物用中敷を提供することを、その目的とする。
【課題を解決するための手段】
【０００６】
請求項１の発明は、履物用中敷において、履物用中敷は中敷本体と、中敷本体に形成される連通孔と、前記連通孔に全体が収容される磁石体と前記履物用中敷の裏面側から貼り付けられ磁石体を固定する固定手段とで構成される磁気治療器とを有していることを特徴とする履物用中敷である。
【０００７】
請求項２の発明は、請求項１に記載された履物用中敷において、連通孔は足裏のツボと対応する位置に形成されていることを特徴とする履物用中敷である。
【０００８】
請求項３の発明は、請求項２に記載された履物用中敷において、連通孔は治療したい症状に応じたツボと対応する位置に備えられていることを特徴とする履物用中敷である。
【０００９】
請求項４の発明は、請求項１から３のいずれかに記載された履物用中敷において、固定手段は粘着シートであることを特徴とする履物用中敷である。
【発明の効果】
【００１０】
本発明の履物用中敷によれば、磁石体の全体が連通孔に収容されるため、磁石体が足裏に食い込むことがなく、歩いても足裏が痛くなるのを防止することができる。
【図面の簡単な説明】
【００１１】
【図１】本発明の第一の実施の形態に係る履物用中敷の斜視図である。
【図２】図１の履物用中敷を示す正面図である。
【図３】図１の履物用中敷の連通孔の使用方法を説明するための断面図である。
【図４】図１の履物用中敷の使用方法を説明するための側面図である。
【図５】第二の実施の形態に係る履物用中敷の正面図である。
【図６】第三の実施の形態に係る履物用中敷の断面図である。
【発明を実施するための形態】
【００１２】
本発明の第一の実施の形態に係る履物用中敷１を図面に従って説明する。
符号２は中敷本体を示し、この中敷本体２は合成樹脂等の弾力のある素材で成形され、略足型を為している。
この中敷本体２は２８ｃｍの足のサイズに形成されており、その先端部分には複数の目印線３が設けられている。これらの目印線３は２７ｃｍ、２６ｃｍ、２５ｃｍ、２４ｃｍのサイズに対応して設けられている。
【００１３】
中敷本体２には表裏に連通する複数の連通孔５ａ、５ｂ、５ｃ、５ｄ、５ｅ、５ｆ、５ｇ、５ｈ、５ｉ、５ｊ、５ｋ、５ｌ、５ｍが形成されている。
連通孔５ａ、５ｂ、５ｃ、５ｄ、５ｆ、５ｇ、５ｈ、５ｊは肩凝りに効果のあるツボと対応する位置に備えられている。また、連通孔５ｈ、５ｉ、５ｊは首の凝りに効果のあるツボと対応する位置に備えられている。更に、連通孔５ｅ、５ｋ、５ｌ、５ｍは腰痛に効果のあるツボと対応する位置に備えられている。
【００１４】
図１、３において符号７は磁気治療器を示し、この磁気治療器７は磁気を発する円盤状の磁石体８と、粘着層９を有する粘着シート１０で構成されている。固定手段としての粘着シート１０は粘着層９を有する面の略中央に磁石体８が設けられており、磁石体８を保持して足裏に張り付けることができる。
この磁気治療器７は市販されており、磁石体８として永久磁石を用いたものや、ゲルマニウム粒を用いたもの等がある。
【００１５】
本発明の実施の形態に係る履物用中敷１の使用方法について説明する。
まず、中敷本体２を使用者の足の大きさに合わせて切り取る。例えば、使用者の足の大きさが２７ｃｍであれば、中敷本体２の外側から一つ目に設けられた目印線３に沿って切り取る。
【００１６】
次に、肩凝りを治療したいときは連通孔５ａ、５ｂ、５ｃ、５ｄ、５ｆ、５ｇ、５ｈ、５ｊのそれぞれに磁石体８を収容するようにして、中敷本体２の裏面側から磁気治療器７を貼り付ける。（図１、図３においては連結孔５ｄ、５ｍに磁気治療器７の磁石体８を収容する場合を示す。）
履物用中敷１は磁気治療器７を貼り付けて使用するため、市販の磁気治療器７を使用することができる。即ち、使用者は市販品の中から自身に最適な磁気治療器７を選択して貼り付けることが可能である。
【００１７】
そして、履物用中敷１を履物内の底部に敷いて使用する。履物用中敷１では、磁石体８の全体が連通孔５ａ、５ｂ、５ｃ、５ｄ、５ｅ、５ｆ、５ｇ、５ｈ、５ｉ、５ｊ、５ｋ、５ｌ、５ｍに収容されるため、この履物用中敷１を敷いた履物で歩くと磁石体８が足裏に食い込むことがないため、歩いても痛みを感じることはない。
【００１８】
また、刺激したいツボを肩凝りに効果のある位置から首の凝り効果のある位置に変更したい場合は、連通孔５ｈ、５ｉ、５ｊの裏面側から磁気治療器７を貼り付ける。
このように、使用者が治療したい症状に合わせて連通孔５ａ、５ｂ、５ｃ、５ｄ、５ｅ、５ｆ、５ｇ、５ｈ、５ｉ、５ｊ、５ｋ、５ｌ、５ｍを選ぶことができる。
【００１９】
本発明の第二の実施の形態に係る履物用中敷１５について説明する。
図５に示す履物用中敷１５は、連通孔１６ａ、１６ｂ、１６ｃ、１６ｄ、１６ｅ、１６ｆ、１６ｇ、１６ｈ、１６ｉの位置を除き、第一の実施の形態の履物用中敷１と同様であるため、第一の実施の形態と同様の構成部材については、第一の実施の形態の説明で用いた符号を付し、その説明を省略する。
連通孔１６ｃ、１６ｆは便秘に効果のあるツボと対応する位置に配置され、連通孔１６ａ、１６ｂ、１６ｃ、１６ｄ、１６ｅ、１６ｆは肌荒れに効果のあるツボと対応する位置に配置され、連通孔１６ｃ、１６ｆ、１６ｇ、１６ｈ、１６ｉはニキビに効果のあるツボと対応する位置に配置されている
【００２０】
前記したように使用者が肩凝りの症状を治療したいときには図２に示す履物用中敷１を使用したが、便秘に効果のあるツボを刺激したいときには図５に示す履物用中敷１５を選択して使用する。
従って、使用者は足裏にあるツボのうち治療したい症状に合わせて、複数種類ある履物用中敷の中から最適のものを選択することが可能である。
【００２１】
図６によって本発明の第三の実施の形態に係る履物用中敷１８について説明する。
履物用中敷１８は抗菌シート１９を備えた点を除き、第一の実施の形態に係る履物用中敷１と同様であるので、第一の実施の形態と同様の構成部材については、第一の実施の形態の説明で用いた符号を付し、その説明を省略する。
この履物用中敷１８は、表面全体に張り付けられた抗菌シート１９が足裏に触れるため、常に足裏を衛生的に保つことができる。
【００２２】
以上、本発明の実施の形態について詳述してきたが、具体的構成は、この実施の形態に限られるものではなく、本発明の要旨を逸脱しない範囲における設計の変更などがあっても発明に含まれる。
例えば、連通孔は様々な症状の治療に応じたツボと対応する位置に備えればよく、第一の実施の形態や第二の実施の形態で示した位置だけでなく、頭痛、肩凝り、腰痛に効果のあるツボと対応する位置に備えたものや、二日酔い、胸やけ、胃もたれに効果のあるツボと対応する位置に備えたものなど、症状に応じて自由に組み合わせることができる。
本実施の形態では連通孔は円形を為すものを示したが、多角形等、他の形状でもよい。
【産業上の利用可能性】
【００２３】
磁気治療器や、履物用中敷の製造業などに利用できる。
【符号の説明】
【００２４】
１…履物用中敷      ２…中敷本体    ３…目印線
５ａ、５ｂ、５ｃ、５ｄ、５ｅ、５ｆ、５ｇ、５ｈ、５ｉ、５ｊ、５ｋ、５ｌ、５ｍ…連通孔
７…磁気治療器    ８…磁石体    ９…粘着層    １０…粘着シート
１５…履物用中敷      １６ａ、１６ｂ、１６ｃ、１６ｄ、１６ｅ、１６ｆ、１６ｇ、１６ｈ、１６ｉ…連通孔    １８…履物用中敷    １９…抗菌シート
【図１】
2014036793.tif 000003
【図２】
2014036793.tif 000004
【図３】
2014036793.tif 000005
【図４】
2014036793.tif 000006
【図５】
2014036793.tif 000007
【図６】
2014036793.tif 000008